(57)【要約】ウェアラブルコントローラが備えられる。本発明によるウェアラブルコントローラは、使用者の手に着用される本体部と、外部機器を操作する少なくとも一つの操作部と、前記操作部による制御情報を前記外部機器に送信するための通信モジュールを含む制御部とを含む。この時、前記本体部は、使用者の手首下端と対応する位置に配置されて、手首下端を支持する下端支持部と、使用者の手首上端乃至手の甲の中の何れか一領域と対応する位置に配置される上端支持部と、使用者の手のひらを支持する位置に配置される手のひら支持部と、前記ウェアラブルコントローラが前記使用者の手の部位から離れないように、前記下端支持部、手のひら支持部、及び上端支持部を連結する連結部材とを含む。
2020513635.tif 000002
【特許請求の範囲】
【請求項１】
使用者の手に着用される本体部と、
外部機器を操作する少なくとも一つの操作部と、
前記操作部による制御情報を前記外部機器に送信するための通信モジュールを含む制御部と、を含み、
前記本体部は、使用者の手首下端と対応する位置に配置されて、手首の下端を支持する下端支持部と、
使用者の手首上端乃至手の甲の中の何れか一領域と対応する位置に配置される上端支持部と、
使用者の手のひらを支持する位置に配置される手のひら支持部と、
前記ウェアラブルコントローラが前記使用者の手の部分から離れないように、前記下端支持部、手のひら支持部、及び上端支持部を連結する連結部材と、を含むことを特徴とするウェアラブルコントローラ。
【請求項２】
前記連結部材は、
前記使用者の手のひらと対応する位置に形成され、前記手のひら支持部と前記下端支持部とを互いに連結する連結部と、
前記連結部と前記上端支持部に連結されるように、前記手の一領域をカバーしながら弯曲して形成されたリンク部とを含むことを特徴とする請求項１に記載のウェアラブルコントローラ。
【請求項３】
前記リンク部は、
前記使用者の手の甲から手のひらを向ける方向に所定角度だけ曲げられて形成され、前記手のひらを向ける一端に挿入口が形成された上部リンク部と、
前記使用者の手のひらから手の甲に向かう方向に所定角度だけ曲げられて形成され、一端が前記上部リンク部の挿入口に挿入され、他端が前記連結部と連結された下部リンク部と、
前記下部リンク部が前記上部リンク部の挿入口に挿入される深さを調節する挿入深さ調節部とを含むことを特徴とする請求項２に記載のウェアラブルコントローラ。
【請求項４】
前記挿入深さ調節部は、
前記下部リンク部の手の甲に向かって弯曲された一端に形成され、所定の距離離隔して突出形成された少なくとも一つの固定突出部と、
前記上部リンク部の一端の挿入口の内側面に形成され、前記固定突出部と対応する位置に突出形成された少なくとも一つの固定係止部とを含むことを特徴とする請求項３に記載のウェアラブルコントローラ。
【請求項５】
前記下端支持部は、前記連結部の長さ方向に延長された方向及び位置を０°としたとき、前記連結部に対して０°〜９０°の鋭角に延長されて形成され、前記手のひら支持部は楕円形断面の円筒形構造に形成され、楕円形断面の長軸が前記連結部に対して０°〜９０°の鋭角を有するように連結されることを特徴とする請求項２に記載のウェアラブルコントローラ。
【請求項６】
前記手のひら支持部は、前記連結部材に回転可能に連結されることを特徴とする請求項１に記載のウェアラブルコントローラ。
【請求項７】
前記ウェアラブルコントローラの動きを感知することができるジャイロセンサー、加速度センサー、角速度センサー及び地磁界センサーの中の少なくとも一つを含む動き感知部がさらに備えられ、
前記操作部は、前記使用者の指先が届くことができるように、前記手のひら支持部で前記使用者の手のひらと対応する領域と離隔した領域に位置し、使用者の指の加圧によって入力信号を発生させるボタンまたはタッチスクリーンを備えることを特徴とする請求項１に記載のウェアラブルコントローラ。
【請求項８】
前記上端支持部または前記手のひら支持部は拡張装置が連結される少なくとも一つ以上の拡張ポート及び前記拡張ポートに連結される表示部またはジョイスティックをさらに含むことを特徴とする請求項1に記載のウェアラブルコントローラ。
【請求項９】
周辺環境または使用者の状態を感知する状態感知部をさらに含み、
前記状態感知部は光を感知する光センサー、音を感知する音響センサー、温度を感知する温度センサー、使用者の体温、脈拍、分当たり呼吸数または心拍数を感知する生体信号センサーの中の少なくとも一つを含むことを特徴とする請求項１に記載のウェアラブルコントローラ。
【請求項１０】
光を発光する発光モジュール、振動を発生させる振動モジュール、音を出力する音響モジュール、及び温度を調節する温度調節モジュールの中の少なくとも一つを含む通知部をさらに含むことを特徴とする請求項１に記載のウェアラブルコントローラ。
【請求項１１】
前記下端支持部の前記手首の下部と対向する面と、前記上端支持部の前記手首の上部と対向する面は内側へ凹まれた形状を有することにより、凹まれた領域を通じて手首が安着されるようにし、前記手のひら支持部は幅方向に長く形成された楕円形の円筒状に形成されることにより、使用者の指が前記手のひら支持部を巻いたり取ることがきるように構成されることを特徴とする請求項１に記載のウェアラブルコントローラ。
【請求項１２】
前記下端支持部と前記手のひら支持部は一体に形成され、前記連結部材は、前記一体に形成された下端支持部と手のひら支持部及び前記上端支持部を連結することを特徴とする請求項１に記載のウェアラブルコントローラ。
【発明の詳細な説明】
【技術分野】
【０００１】
本発明はウェアラブルコントローラに関するものである。
【背景技術】
【０００２】
コントローラは、機器から離れた場所で機器に命令を下すことにより、その機器が機能を実行することができるようにする。コントローラの基本的な目的は機器の操作の利便性を確保することで、使用者が直接機器まで移動してボタンを押して操作する煩雑な問題を解決する。
【０００３】
コントローラは遠隔操作対象の機器によって、その形態や構造が多様に具現されることができる。一例として、テレビを操作するためのリモコが挙げられるが、このようなリモコンはチャンネルの変更やオーディオまたはビデオの設定に関する各種機能ボタンを含み、手で握ることができる形態がたくさん使用されてきた。他の例として、ゲームの操作のための別途のキーボタン、方向選択ボタンなどを備えた有線／無線ゲームコントローラがある。
【０００４】
しかしながら、従来のコントローラは、手で握ったまま操作しなければならないため、これを握った手では他の作業をすることができず、使用者の様々な手の動作、姿勢、位置変動などを認知することができなくて多様な方式の操作が困難であるという限界がある。
【０００５】
多様な操作方式を可能にするための試みの一つとして大韓民国公開特許第１０−２０１３−００４２３２６号がある。
【０００６】
しかしながら、このような従来技術によるコントローラは、操作時に片手または両手で制御装置を手に持ったままの姿勢を保持しなければならないため、操作姿勢が不自然になって長時間使用する場合不便になる。特に、長時間使用時すると、首や肩などの痛みを誘発する虞があるという問題がある。
【発明の概要】
【発明が解決しようとする課題】
【０００７】
本発明は、このような従来技術における問題点を解決するために案出されたもので、使用者の手に着用した状態で、自然な姿勢で使用が可能であり、多様な方式の入力をサポートするウェアラブルコントローラを提供することを目的とする。
【課題を解決するための手段】
【０００８】
前述した技術的課題を達成するために、本発明の一実施例によるウェアラブルコントローラは、使用者の手に装着される本体部と、外部機器を操作する少なくとも一つの操作部と、前記操作部による制御情報を前記外部機器に送信するための通信モジュールを含む制御部とを含む。
【０００９】
この時、前記本体部は、使用者の手首の下端と対応する位置に配置されて、手首の下端を支持する下端支持部と、使用者の手首の上端乃至手の甲の中の何れか一領域と対応する位置に配置される上端支持部と、前記ウェアラブルコントローラが前記使用者の手の部位から離れないように前記下端支持部、手のひら支持部、及び上端支持部を連結する連結部材を含むことができる。
【発明の効果】
【００１０】
このような本発明によれば、ウェアラブルコントローラを使用者の手に着用した状態で、多様な姿勢で長時間楽に使用することができるようにすることによって、長時間使用時の疲労を最小化にするという効果を奏する。
【００１１】
また、使用者の手に着用した状態で、使用者の手の動作、姿勢または位置の変動等によって、多様な入力をサポートすることにより、拡張現実、仮想現実に基づく着用型制御装置、ドロン制御装置、及び家庭内有無線ゲーム制御装置など多様に活用できるという効果を奏する。
【図面の簡単な説明】
【００１２】
【図１】本発明の一実施例によるウェアラブルコントローラの斜視図である。
【図２】本発明の一実施例によるウェアラブルコントローラのブロック図である。
【図３】本発明の一実施例によるウェアラブルコントローラを使用者の手に着用した例を示す図である。
【図４】本発明の一実施例によるウェアラブルコントローラの正面図及び部分断面図である。
【図５】本発明の一実施例によるウェアラブルコントローラに表示部が着用された状態を示す図である。
【発明を実施するための形態】
【００１３】
以下では、添付図面を参照して、本発明が属する技術分野において通常の知識を有する者が容易に実施することができるように、本発明の実施例を詳細に説明する。しかしながら、本発明は多様な異なる形態で実現されることができ、ここで説明する実施例に限定されない。そして、図面で本発明を明確に説明するために説明と関係ない部分は省略し、明細書全体にかけて類似する部分に類似する符号を用いる。
【００１４】
本明細書全体において、ある部分が他の部分と「連結」されているとするとき、これは「直接的に連結」されている場合だけではなく、その中間に他の素子を挟んで「電気的に連結」されている場合も含む。
【００１５】
本明細書全体において、ある部材が他の部材「上」に位置するとするとき、これはある部材が他の部材に接している場合だけでなく、両部材の間に他の部材が存在する場合も含む。
【００１６】
本明細書全体において、ある部分がある構成要素を「含む」とするとき、これは特に反対する記載がない限り、他の構成要素を除外するのではなく、他の構成要素をさらに含むことができることを意味する。本明細書全体で用いられる程度を表す用語「約」、「実質的に」などは、言及された意味に固有の製造及び物質許容誤差が提示されるとき、その数値でまたはその数値に近い意味で用いられ、本発明の理解に役立つように正確または絶対的な数値が記載された開示内容を非良心的な侵害者が不当に利用することを防止するために用いられる。明細書全体で用いられる程度を表す用語「〜（する）段階」または「〜の段階」は「〜のための段階」を意味しない。
【００１７】
本発明は、ウェアラブルコントローラ１０に関するものである。例示的に、ウェアラブルコントローラ１０は、外部機器２０と通信モジュール３１０を介して連結され、外部機器２０を制御する装置であってもよい。しかしこれに制限されず、ウェアラブルコントローラ１０と外部機器２０はコネクタを介して互いに連結されることもできる。
【００１８】
前述の外部機器２０とは家電機器、ゲーム機、ドロン、仮想現実装置及び拡張現実装置であってもよいが、これに限定されない。
【００１９】
また、本発明のウェアラブルコントローラ１０は、使用者の手に着用されて、使用者が操作部２００を操作または制御装置１０の傾きを調節することによる入力信号を通信モジュール３１０を通じて外部機器２０に伝達する装置であってもよい。
【００２０】
まず、図１〜図３を参照して、本発明の一実施例によるウェアラブルコントローラ１０について説明する。
【００２１】
ウェアラブルコントローラ１０は、使用者の手に着用される本体部１００と、外部機器２０を操作する少なくとも一つの操作部２００と、操作部２００による制御情報を外部機器２０に送信するための通信モジュール３１０を含む制御部３００とを含む。
【００２２】
このとき、制御部３００は外部機器２０に制御情報を送信するだけでなく、外部機器２０から送信された情報を後述する情報表示部１２１、表示部４００及び通知部７００に送信することができる。
【００２３】
図３によれば、ウェアラブルコントローラ１０は、使用者が手に着用して、操作部２００を通じて外部機器２０を制御することができる。
【００２４】
このために、本体部１００は、使用者の手首の下端と対応する位置に配置されて、手首の下端を支持する下端支持部１１０と、使用者の手の首上端乃至手の甲の中の何れか一領域と対応する位置に配置される上端支持部１２０と、使用者の手のひらを支持する位置に配置される手のひら支持部１３０と、ウェアラブルコントローラ１０が使用者の手の部位から離れないように下端支持部１１０、手のひら支持部１３０及び上端支持部１２０を連結するための連結部材１４０とを含む。前述の手首上端乃至手の甲の中の何れか一領域とは、手首の上端から手の甲の領域で手首を自在に移動することができるように邪魔されない領域を意味することができ、好ましくは、手首関節の上部を意味することができる。
【００２５】
言い換えれば、使用者が手を本体部１００の一側面を通じて下端支持部１１０、手のひら支持部１３０及び上端支持部１２０の間に使用者の手を挿入する場合、下端支持部１１０は手首の下部を支持し、上端支持部１２０は、手首の上部と手の甲の間に位置し、手のひら支持部１３０は手のひらを支持することができる。
【００２６】
つまり、ウェアラブルコントローラ１０は、３つの支持部、即ち下端支持部１１０、上端支持部１２０及び手のひら支持部１３０によって使用者の手に固定されるようにする一方、上端支持部１２０が手首の上端（または手首と手の甲との間の境界領域）に配置されることにより、使用者は手首を自在な角度で回転させることができる。つまり、使用者がウェアラブルコントローラ１０を操作するのに全く不便がない。また、各支持部１１０、１２０、１３０が対応する体部位に位置するために、後述する連結部１４１の長さ方向を基準とするとき、上端支持部１２０と下端支持部１１０との間の第１離隔距離は手のひら支持部１３０と下端支持部１１０との間の第２離隔距離よりも短く構成される。それにより、使用者は、ウェアラブルコントローラ１０を着用した状態で、多様な環境と多様な姿勢で長時間使用しても手首、首、肩などに疲労感が格段と減少することができる。例示的に、下段支持部１１０、手のひら支持部１３０及び上端支持部１２０は、手首と手のひらに無理をかけないように、柔軟な材質のシリコンであることができるが、これらに限定されない。
【００２７】
また、下端支持部１１０は、手首の下部と対向する面、即ち、手首の下部に接触する面が内側へ凹まれた形状を有し、上端支持部１２０は、手首の上部と対向する面、即ち、手首の上部に接触する面が内側へ凹まれた形状を有することができる。それにより、ウェアラブルコントローラ１０の着用時に、手首が凹まれた領域に安着されて安定的に使用することができるという効果を奏する。
【００２８】
また、下端支持部１１０は、使用者の手首の内側に位置する離脱防止部１１１を含むことができる。例示的に、離脱防止部１１１は下端支持部１１０にヒンジ結合されることができ、それにより、使用しない場合には、畳んで保管し、使用者の手を挿入した後に回転させ、使用者の手が離脱されることを防止して、使用者の手に堅固にウェアラブルコントローラ１０を固定することができるという効果を奏する。
【００２９】
また、手のひら支持部１３０は、幅方向に長く形成された楕円形の円筒状に形成されることができ、使用者の指が手のひら支持部１３０を巻いたり取ることができるように構成されることができる。このとき、手のひら支持部１３０は、手の便宜のために、手首から手のひらの中心部を超えず、指の長さを考慮して、指を曲げた時、指先が位置する部分に後述するボタン２１０またはタッチスクリーンが位置されることができる。
【００３０】
これに対する詳細な説明は後述する。
【００３１】
下端支持部１１０、手のひら支持部１３０及び上端支持部１２０は連結部材１４０を通じて互いに連結されることができる。
【００３２】
連結部材１４０は、使用者の手のひらと対応する位置に形成され、手のひら支持部１３０と下端支持部１１０とを互いに連結する連結部１４１及び連結部１４１と上端支持部１２０に連結されるように、手の一領域をカバーしながら弯曲されて形成されたリンク部１４２を含むことができる。前述したリンク部１４２が手の一領域をカバーするという意味は、ウェアラブルコントローラ１０を手に着用した場合、親指が位置する反対側に位置しながら連結部１４１と上端支持部１２０に連結されることを意味することができる。
【００３３】
連結部１４１は、図３に示すように、一端が手のひら支持部１３０に連結され、他端が下端支持部１１０に連結され、ウェアラブルコントローラ１０の着用を邪魔しないように下部方向に弯曲されて形成することができる。
【００３４】
また、手のひら支持部１３０は連結部材１４０に回転可能に連結されることができる。この時、手のひら支持部１３０の内部には動きを感知することができる動き感知部５００が位置して、手のひら支持部１３０の動き情報を通信モジュール３１０を通じて外部機器２０に送信することができる。これに対する詳細な説明は後述する。
【００３５】
下端支持部１１０は、連結部１４１の長さ方向に延長された方向及び位置を０°としたとき、連結部１４１に対して０°〜９０°の鋭角に斜めに延長されて形成されることができる。このような傾斜構造によって下端支持部１１０が使用者の手首の下端をさらに圧着して堅固に支持することができる。
【００３６】
また、手のひら支持部１３０は楕円形断面の円筒形構造に形成されることができ、楕円形断面の長軸が連結部に対して０°〜９０°の鋭角を有するように斜めに連結することもできる。このように斜めに連結された構造によって、手のひらがグリップ感よく手のひら支持部を握ることができるようにし、手首から制御装置が逸脱しないようにすることができる。
【００３７】
図４によれば、リンク部１４２は、使用者の手の甲から手のひらを向ける方向に所定角度だけ曲げられて形成され、手のひらを向ける一端に挿入口が形成された上部リンク部１４３と、使用者の手のひらから手の甲を向ける方向に所定角度だけ曲げられて形成され、一端が上部リンク部１４３の挿入口に挿入され、他端が連結部１４１と連結された下部リンク部１４４とを含むことができる。しかし、これに制限されず、下部リンク部１４４の手の甲に向かう一端に挿入口が形成され、下部リンク部１４４の挿入口に上部リンク部１４３の一端が挿入されてもよい。
【００３８】
しかし、これに制限されず、下端支持部１１０と手のひら支持部１３０は、一つの構成で一体に形成されることができ、この時、連結部材１４０は一体に形成された下端支持部１１０と手のひら支持部１３０及び上部支持部１２０を連結することができる。
実施形態
【００３９】
以下、図４を参照して本発明の一実施例による挿入深さ調節部１４５について説明する。
【００４０】
リンク部１４２は、下部リンク部１４４が上部リンク部１４３の挿入口に挿入される深さを調節する挿入深さ調節部１４５を含むことができる。つまり、ウェアラブルコントローラ１０は、使用者の手の厚さによって、下部のリンク部１４４が上部リンク部１４３の挿入口に挿入される深さを調節して、下端支持部１１０と手のひら支持部１３０及び上端支持部１２０の間の間隔を調節することができる。
【００４１】
また、図４によれば、挿入深さ調節部１４５は、下部リンク部１４４の手の甲に向かって弯曲された一端に形成され、所定の距離離隔されて突出形成された少なくとも一つの固定突出部１４６と、上部リンク部１４３の挿入口の内側面に形成され、固定突出部１４６と対応する位置に突出形成された少なくとも一つの固定係止部１４７とを含むことができる。
【００４２】
また、挿入深さ調節部１４５は、前述したように、係止式に構成されることができるが、これに制限されず、挿入深さ調節部１４５は、絞り式、締結式、挟持式、クリップ式などの様々な方式で構成されることができる。
【００４３】
図３によれば、操作部２００は、使用者の指先が届くことができるように、手のひら支持部１３０のうち、使用者の手のひらと対応する領域と離隔した領域に位置し、使用者の指の加圧によって入力信号を発生させるボタン２１０またはタッチスクリーン（図示しない）で構成されることができる。
【００４４】
つまり、使用者はウェアラブルコントローラ１０を着用した状態で、指を折って手のひら支持部１３０に位置したボタン２１０またはタッチスクリーンを操作して外部機器２０を制御することができる。例示的に、操作部２００は、例示的に、ボタン２１０またはタッチスクリーンは、上端支持部１２０及び下端支持部１１０と対向する面と反対する面に形成されることができる。
【００４５】
また、ウェアラブルコントローラ１０は、ウェアラブルコントローラ１０の動きを検出することができるジャイロセンサ、加速度センサ、角速度センサ及び地磁界センサの中の少なくとも一つを含む動き感知部５００を含むことができる。
【００４６】
動き感知部５００は、本体部１００の下端支持部１１０、上端支持部１２０、手のひら支持部１３０及び連結部材１４０の中の少なくとも一つ以上に位置して、ウェアラブルコントローラ１０の動きを感知することもできる。
【００４７】
例示的に、動き感知部５００は、前述したように、手のひら支持部１３０に位置することができ、この時、使用者は、手のひら支持部１３０を回転させることによって動き情報を通信モジュール３１０を通じて外部機器２０に伝達して、外部機器２０を制御することができる。
【００４８】
上端支持部１２０は上部面に位置し、情報を表示する情報表示部１２１を含むことができる。例示的に、情報表示部１２１は、バッテリの情報、連結状態情報、設定情報などのウェアラブルコントローラ１０及び周辺環境の状態情報を表示することができるが、これに制限されず、外部機器２０から送信された画像情報を表示することもできる。
【００４９】
上端支持部１２０または手のひら支持部１３０は、拡張装置が連結される少なくとも一つ以上の拡張ポート１３１をさらに含むことができる。例示的に、拡張ポート１３１は、図１に示すように、手のひら支持部１３０の側部に位置することができるが、これに限定されない。また、拡張ポート１３１は、上端支持部１２０の上部に位置し、上端支持部１２０の拡張ポート１３１に後述する表示部４００が連結されることができる。
【００５０】
図１及び図５によれば、ウェアラブルコントローラ１０は、拡張ポート１３１に連結される表示部４００またはジョイスティック２２０をさらに含むことができる。
【００５１】
例示的に、ウェアラブルコントローラ１０は、ドロンを調整するドロンコントローラであってもよい。この時、ウェアラブルコントローラ１０のジョイスティック２２０を通じてドロンの飛行を調節し、ドロンに装着されたカメラモジュールを通じて送信された映像データを表示部４００に表示することができる。
【００５２】
また、図２によれば、ウェアラブルコントローラ１０は、周辺環境や使用者の状態を感知する状態感知部６００と、使用者に通知信号を提供する通知部７００とをさらに含むことができる。この時、周辺環境とはウェアラブルコントローラ１０の周辺の各種環境要素、例示的に、光の存在、光量、音響の存在及びボリューム、外物の存在、動作などの各種環境的要素に対する情報を意味することができる。
【００５３】
状態感知部６００は、光を感知する光センサ、音を感知する音響センサ、温度を感知する温度センサ、使用者の体温、脈拍、分当たり呼吸数または心拍数を感知する生体信号センサの中の少なくとも一つを含むことができる。
【００５４】
光センサは外部の光を感知し、これに関する周辺環境に対する状況情報を収集することができる。詳しくは、光センサは、周辺環境の中で光を感知することにより、光の量（光量）を測定したり、外物存在の有無、物の動作や形態などを感知し、検知された結果を電気信号に変換して周辺環境に対する状況情報を取得することができる。例示的に、光センサは、光を電気信号に変換するフォトダイオードやフォトトランジスタが用いられることができ、赤外線を電気信号に変換する赤外発光ダイオードであってもよいが、これに制限されない。
【００５５】
音響センサは、ウェアラブルコントローラ１０周辺の音声や音響を感知し、これを計測して周辺環境に対する状況情報を取得することができる。例示的に、音響センサは、トランスデューサなどを利用して空気を介して伝達される所定の周波数の波動を感知し、これを電気信号に変換することにより、周辺状況の各種音声や音響に対する状況情報を得ることができる。
【００５６】
温度センサーは、周辺空気や接触した物体の熱を測定して温度を計測するセンサーであってもよい。例示的に、温度センサーは、白金抵抗温度計、サーミスタ、熱電対などの外部の温度を測定することができるセンサーであってもよい。また、温度センサーは、ウェアラブルコントローラ１０の周辺が暖かいか寒いかなどを把握することができる。
【００５７】
生体信号センサーは、使用者の体の状態に関する情報を意味することができる。例示的に、生体信号センサーは、手首サポートに位置して脈拍や使用者の体温などを測定することができ、これらの情報を前述した情報表示部１２１または表示部４００に表示することができる。
【００５８】
通知部７００は、光を発光する発光モジュール、振動を発生させる振動モジュール、音を出力する音響モジュール及び温度を調節する温度調節モジュールの中の少なくとも一つを含む通知部７００をさらに含むことができる。
【００５９】
発光モジュールは、制御部３００から伝達される発光制御コマンドによって発光体を発光させて所定の光を外部に出力することができる。例示的に、発光モジュールは、ウェアラブルコントローラ１０の外面に設置される発光ダイオードのような発光体、及び発光体を制御するための回路を含むことができる。また、発光モジュールは、状況情報による判断結果によって、他の色や他のエネルギーの光を出力するか他のパターンで光を出力するようにすることができる。
【００６０】
振動モジュールは、状況情報による判断結果に基づいてウェアラブルコントローラ１０に対して振動を発生させる。例示的に、振動モジュールは、ウェアラブルコントローラ１０内に設置された振動モータを用いてウェアラブルコントローラ１０を振動させることができる。また、振動モジュールは、判断結果に基づいて振動の強度を異なるようにするか、振動させるパターンを異なるようにして、使用者が判断結果を認知することができる。
【００６１】
音響モジュールは、状況情報による判断結果によって所定の音声、音楽または録音された音声などを出力して使用者に通知することができる。例示的に、音響モジュールはスピーカーを通じて音響が出力されるようにする。
【００６２】
温度調節モジュールは、状況情報による判断結果によってウェアラブルコントローラ１０の温度を冷たくまたは暖かく変化させて使用者に通知することができる。
【００６３】
前述した本発明の説明は例示のためのものであり、本発明が属する技術分野における通常の知識を有する者は、本発明の技術的思想や必須的な特徴を変更しないで他の具体的な形態に容易に変形可能であることを理解すべきである。従って、以上で記述した実施例は全ての面で例示的なものであり、限定的なものと理解されてはならない。例えば、単一形に説明されている各構成要素は分散されて実施されることもでき、同様に分散して説明されている構成要素も結合された形態で実施されることができる。
【００６４】
本発明の範囲は前述の詳細な説明ではなく、特許請求範囲によって定められ、特許請求範囲の意味及び範囲そしてその均等な概念から導出される全ての変更または変形された形態が本発明の範囲に含まれるものと解釈すべきである。
【符号の説明】
【００６５】
１０：ウェアラブルコントローラ
２０：外部機器
１００：本体部
１１０：下端支持部
１１１：離脱防止部
１２０：上端支持部
１２１：情報表示部
１３０：手のひら支持部
１３１：拡張ポート
１４０：連結部材
１４１：連結部
１４２：リンク部
１４３：上部リンク部
１４４：下部リンク部
１４５：挿入深さ調節部
１４６：固定突出部
１４７：固定係止部
２００：操作部
２１０：ボタン
２２０：ジョイスティック
３００：制御部
３１０：通信モジュール
４００：表示部
５００：動き感知部
６００：状態感知部
７００：通知部
【図１】
2020513635.tif 000003
【図２】
2020513635.tif 000004
【図３】
2020513635.tif 000005
【図４】
2020513635.tif 000006
【図５】
2020513635.tif 000007
【国際調査報告】
2020513635.tif 000008
2020513635.tif 000009
2020513635.tif 000010
2020513635.tif 000011
2020513635.tif 000012
2020513635.tif 000013
2020513635.tif 000014
2020513635.tif 000015
2020513635.tif 000016
2020513635.tif 000017
2020513635.tif 000018
2020513635.tif 000019